(57)【要約】【課題】簡単且つコンパクトな構成により容易に携帯することができ、見栄えも良く、人体の広範囲に−の電圧を多くかけることにより電位治療のような健康増進の効果も得られる。【解決手段】装飾部３とこれに繋がる鎖体、紐体、数珠体、糸体、または棒体等の環状体１８からなるアクセサリーにおいて、装飾部３は太陽電池１２を内蔵する金属製の筒体９と蓋体１０とからなり、蓋体１０の外周にパッキンとして非通電部材１１を配設し、太陽電池１２の−電極１２ａからの導電線１３を筒体９に接続し、＋電極１２ｂからの導電線１４を蓋体１０に接続し、また、前記装飾部３に繋がる環状体１８は導電性連続体とした。【選択図】  図１
0003186773.tif 000002
【実用新案登録請求の範囲】
【請求項１】
装飾部とこれに繋がる鎖体、紐体、数珠体、糸体、または棒体等の環状体からなるアクセサリーにおいて、装飾部は太陽電池を内蔵する金属製の筒体と蓋体とからなり、蓋体外周にパッキンとして非通電部材を配設し、太陽電池の−電極からの導電線を筒体に接続し、＋電極からの導電線を蓋体に接続し、また、前記装飾部に繋がる環状体は導電性連続体としたことを特徴とするアクセサリー。
【請求項２】
＋電極からの導電線はバネ体として形成する請求項１記載のアクセサリー。
【請求項３】
装飾部を構成する筒体は左右に抜ける貫通孔を形成し、環状体はこの貫通孔に電気的接続を保ちながら、遊嵌して挿通する請求項１または請求項２記載のアクセサリー。
【請求項４】
装飾部を構成する筒体に対する蓋体は底蓋であり、筒体上面開口にはダイヤモンド等の透明または半透明な宝石を嵌め込む請求項１ないし請求項３のいずれかに記載のアクセサリー。
【考案の詳細な説明】
【技術分野】
【０００１】
本考案は、本考案は、ネックレスやブレスレット、指輪のごとき身装品として装着することで健康の維持、活性化を促すことができるアクセサリーに関するものである。
【背景技術】
【０００２】
出願人は先に、下記特許文献のアクセサリーを考案し、実用新案登録を取得した。
【特許文献１】実用新案登録第３１２７５１７号公報
【０００３】
これは図４から図６に示すように、アクセサリー１はブレスレットとして、装飾部３の側面の両端に導電性連続体として数珠体４を接続し、数珠体４は留め具７を備え、これを連結することにより環状に形成可能となっている。
【０００４】
数珠体４は、中空の貴金属製ピース５を細い金属チェーン８で数珠繋ぎにして構成する。ピース５は大小様々なものを取り混ぜて使用することができ、皮膚に接触し難い小粒のピース５ｂ表面は特に加工を施す必要はないが、全体の中で使用頻度が高く、装着時に特に皮膚によく接触する大粒球形のピース５ａは、貴金属製の極細糸で表面を覆うようにする。
【０００５】
また、全体の中で使用頻度の少ない円筒形のピース５ｃは、直径を大粒のピース５ａと略同じに形成し、外周表面を色付きの樹脂で構成するとともに、微細な凹凸を設ける。
【０００６】
留め具７は、開閉機構を有する輪型部材７ａと、輪型部材７ａが係止する孔を有する係止片７ｂとにより構成し、係止片７ｂを絶縁性材料としての合成樹脂により形成する。これにより、係止片７ｂが絶縁部となる。
【０００７】
装飾部３は絶縁性の硬質樹脂を扁平の円筒形に形成し、太陽電池６を内蔵する。太陽電池６は屋内用のａ−Ｓｉ太陽電池であり、電圧は０．４Ｖ〜１．５Ｖのものを使用する。また、装飾部３の太陽電池６より上部は透明のガラスにより形成して窓３ａとし、外部から太陽電池６の採光部６ａが見えるようにする。
【０００８】
また、数珠体４の芯材となる金属チェーン８の端は、太陽電池６の正電極の端子６ｂおよび負電極の端子６ｃに接続した状態で、太陽電池６とともに装飾部３に埋め込んで固定する。
【０００９】
アクセサリー１を使用するに際して、装飾部３の上面を外側に向けた状態で数珠体４を手首に巻きつけ、留め具７を連結して環状のブレスレットにする。
【００１０】
太陽電池６は、窓３ａから射し込む光によって発電する。
【００１１】
このようにして、太陽電池６の発電により生じた電圧は、金属チェーン８及び大粒のピース５ａを介して人体に印加される。ここで、使用者の体に接触する全てのピース５ａが、人体に対しては電極の役割を果たすため、人体の広範囲に電圧を印加し、電気を流すことができる。
【考案の概要】
【考案が解決しようとする課題】
【００１２】
このように特許文献１のアクセサリーは、装飾部において絶縁状態で太陽電池を保持し、該太陽電池の端子に接続する端部を有する鎖体、紐体、数珠体、糸体、または棒体等の導電性連続体を装飾部より引き出して環状に形成するようにしたから、このアクセサリーを身につけると、アクセサリーの導電性連続体に接触する全ての部分に電圧が印加され、電気が流れることとなる。すなわち、アクセサリー全体が電極となり、人体の広範囲に電圧をかけて電気を流すことができ、電位治療のような健康増進効果を得ることができる。
【００１３】
また、太陽電池と導電性連続体とを環状に形成するものの、部分的に非通電部を設け、電極端子間が導電性の連続体によって直結されないようにしたから、電気が導電性連続体のみに流れて電力が消費されることがない。すなわち、導電性連続体が環状に形成されていても、非通電部の存在により電位差が保持され、この電位差によって人体に電圧を加えることができる。
【００１４】
しかし、研究を重ねた結果、人体に電圧を加えるのは＋の電位よりも−の電位の方が効果的であることが判明した。
【００１５】
本考案の目的はこのような研究成果を踏まえて、簡単且つコンパクトな構成により容易に携帯することができ、見栄えも良く、人体の広範囲に−の電圧を多くかけることにより電位治療のような健康増進の効果も得られるアクセサリーを提供することにある。
【課題を解決するための手段】
【００１６】
前記目的を達成するため請求項１記載の本考案は、装飾部とこれに繋がる鎖体、紐体、数珠体、糸体、または棒体等の環状体からなるアクセサリーにおいて、装飾部は太陽電池を内蔵する金属製の筒体と蓋体とからなり、蓋体外周にパッキンとして非通電部材を配設し、太陽電池の−電極からの導電線を筒体に接続し、＋電極からの導電線を蓋体に接続し、また、前記装飾部に繋がる環状体は導電性連続体としたことを要旨とするものである。
【００１７】
請求項１記載の本考案によれば、太陽電池からの電流は、太陽電池＋極→蓋体→人体→環状体→筒体→太陽電池−極ということで確保され、装飾部において太陽電池の−電極からの電流は導電線および筒体を介して環状体である導電性連続体に流れ、この導電性連続体に接触する全ての部分に電圧が印加され、電気が流れることとなる。すなわち、アクセサリー全体が−電極となり、人体の広範囲に−電圧をかけて電気を流すことができ、電位治療のような健康増進効果を得ることができる。
【００１８】
また、太陽電池からの＋電極の電流は蓋体のみに流れ、電極端子間が導電性の連続体によって直結されないようにしたから、電気が導電性連続体のみに流れて電力が消費されることがない。すなわち、導電性連続体が環状に形成されていても、蓋の存在により電位差が保持され、この電位差によって人体に電圧を加えることができる。
【００１９】
太陽電池を電源として用いるようにしたから、アクセサリーが大型化せず、軽量で携帯に適したものとすることができ、太陽電池は電池交換の必要も無い上、アクセサリーの使用中は常に起電力が得られ、使用者の人体に電圧を印加することができる。すなわち、アクセサリーは視覚的に楽しむためのものであり、アクセサリーを視覚で捕らえられる状況では必ず光が存在するから、その光によって太陽電池が発電するので、使用者はアクセサリーの電力供給について、心配する必要が無い。
【００２０】
請求項２記載の本考案は、＋電極からの導電線はバネ体として形成することを要旨とするものである。
【００２１】
請求項２記載の本考案によれば、導電線はバネ体として形成することにより、蓋体や太陽電池の押さえとしてこれを用いることができる。
【００２２】
請求項３記載の本考案は、装飾部を構成する筒体は左右に抜ける貫通孔を形成し、環状体はこの貫通孔に電気的接続を保ちながら、遊嵌して挿通することを要旨とするものである。
【００２３】
請求項３記載の本考案によれば、環状体は装飾部に遊嵌して移動自在なので、環状体が体に対して回ってしまっても装飾部は常に環状体の中央位置を保持して装飾機能を保つことができる。
【００２４】
請求項４記載の本考案は、装飾部を構成する筒体に対する蓋体は底蓋であり、筒体上面開口にはダイヤモンド等の透明または半透明な宝石を嵌め込むことを要旨とするものである。
【００２５】
請求項４記載の本考案によれば、蓋体は底蓋として常に人の肌に接触し、また装飾部は少なくとも太陽電池の上部にダイヤモンド等の透明または半透明な宝石を設けるようにしたから、発電に必要な光を太陽電池に届くようにすることができるとともに、太陽電池を装飾部内に収めて繊細な太陽電池を保護することができる。
【考案の効果】
【００２６】
以上述べたように本考案のアクセサリーは、簡単且つコンパクトな構成により容易に携帯することができ、見栄えも良く、人体の広範囲に−の電圧を多くかけることにより電位治療のような健康増進の効果も得られるものである。
【考案を実施するための形態】
【００２７】
以下、図面について本考案の実施の形態を詳細に説明する。図１は本考案のアクセサリーの１実施形態を示す要部の側面図、図２は同上装飾部の蓋体を外した状態の背面側からの斜視図、図３は同上全体の正面図で、前記従来例を示す図４〜図６と同一構成要素には同一参照符号を付したものである。
【００２８】
アクセサリー１はネックレスの場合であり、図３に示すように装飾部３とこれに繋がる鎖体、紐体、数珠体、糸体、または棒体等の導電性連続体である環状体１８からなる。本実施形態は、環状体１８は金合金等の極細の貴金属製鎖（チェーン）としたが、導電性の連続体としては、太目の金属チェーン単体や、ボールチェーン、連続する金属糸と合成繊維とを撚り合わせた紐なども使用可能であり、また、細い金属棒などの棒体を使用することもできる。
【００２９】
環状体１８は、留め具７を備え、これを連結することにより環状に形成可能となっている。
【００３０】
留め具７は環状体１８と同様に貴金属を材質とし、開閉機構を有する輪型部材７ａと、輪型部材７ａが係止する孔を有する係止片７ｂとにより構成した。
【００３１】
装飾部３は、貴金属製の筒体９と貴金属製の蓋体１０とからなり、蓋体１０は湾曲皿状で、外周にパッキンとして非通電部材１１を配設し、底蓋としてのものである。該非通電部材１１により筒体９と蓋体１０とは電気的に絶縁されて係合する。
【００３２】
この筒体９は太陽電池１２を内蔵するもので、図示の例では円筒体であるが、４角、６角、８角等の角筒体でもよく、蓋体１０もそれに応じて円盤形でなくてもよい。図示は省略するが、太陽電池１２は筒体９に水平な仕切りを設け、この仕切り板上に防振ゴムを介在させて、貼り付ける。
【００３３】
筒体９に内蔵する太陽電池１２は、プラスチックフィルム基板上に形成したａ−Ｓｉ太陽電池を保護フィルムによりカバーした状態で、厚みを約０．４ｍｍと薄型に形成したもので、質量も数グラムから数十グラム程度の軽量にできる。
【００３４】
太陽電池１２の負電極(−電極)１２ａからの直線状の導電線１３を筒体９の内側に接続し、正電極（＋電極）１２ｂからの導電線１４をコイルバネに形成して、蓋体１０を筒体９に閉めた時にこれに端が当接するようにした。これにより太陽電池１２の正電極（＋電極）１２ｂは押圧された導電線１４で蓋体１０に接続する。
【００３５】
筒体９には左右に抜ける貫通孔１５を形成し、この貫通孔１５の経は前記環状体１８よりも大き目として環状体１８はこの貫通孔１５に電気的接続を保ちながら、遊嵌して挿通させた。
【００３６】
前記左右に抜ける貫通孔１５は筒体９の中央を横切るラインを避けて外周側に寄せて形成するものであり、これにより、筒体９は環状体１８に安定してぶら下がるようになる。（図３参照）
【００３７】
また、筒体９の前記蓋体１０を嵌める側とは反対側、すなわち、上面開口にはダイヤモンド等の透明または半透明な宝石１６を嵌め込むものとする。透明または半透明な宝石１６は筒体９の上面開口のカシメにより固定する。
【００３８】
次にこのように構成するアクセサリー１の使用方法について説明すると、装飾部３の上面の透明または半透明な宝石１６を表側に向けた状態で、留め具７を連結して環状のネックレスにして装着する。環状体１８および蓋体１０は装着者の肌に触れる。
【００３９】
筒体９内の太陽電池１２は、透明または半透明な宝石１６を介して射し込む光によって発電する。なお、ａ−Ｓｉ太陽電池は自然光や人工光など光があれば発電でき、また、直射光のみならず拡散光でも発電できる上、発電可能な波長の領域は可視光線の波長の領域とほぼ同じ約４００ｎｍから７００ｎｍまでであるから、アクセサリー１を当初の目的である装飾具として視覚的に楽しむことができる環境下では、発電が可能である。
【００４０】
太陽電池１２からの電流は、太陽電池＋電極１２ｂ→蓋体１０→人体→環状体１８→筒体９→太陽電池−電極１２ａということで流れが確保される。
【００４１】
このようにして、太陽電池１２の発電により生じた電圧は、正電極（＋電極）１２ｂからは＋電圧が蓋体１０に印加され、負電極(−電極)１２ａからは−電圧が筒体９および環状体１８を介して人体に印加される。ここで、使用者の体に接触する全ての環状体１８が、人体に対しては電極の役割を果たすため、人体の広範囲に−電圧を印加し、電気を流すことができる。
【００４２】
なお、環状体１８の留め具７は環状体１８と同様に貴金属を材質としたので、ここで電流が途切れることはなく、環状体１８の全長で、−電位を人体に印加することができる。
【００４３】
また、筒体９と蓋体１０を絶縁することにより、電池の電極が直結されて電力がそこで消費されてしまうのを防ぎ、電圧を有効に人体に加えることができる。
【００４４】
以上の本実施形態はアクセサリー１としてネックレスを例に説明したが、本考案はブレスレットや指輪にも適用可能である。
【図面の簡単な説明】
【００４５】
【図１】本考案のアクセサリーの１実施形態を示す要部の側面図である。
【図２】本考案のアクセサリーの１実施形態を示す装飾部の蓋体を外した状態の背面側からの斜視図である。
【図３】本考案のアクセサリーの１実施形態を示す全体の正面図である。
【図４】従来例を示す全体正面図である。
【図５】従来例を示す装飾部を拡大して示す正面図である。
【図６】従来例を示す装飾部を拡大して示す側面図である。
【符号の説明】
【００４６】
１  アクセサリー                ３  装飾部
３ａ  窓                        ４  数珠体
５、５ａ、５ｂ、５ｃ  ピース
６  太陽電池                    ６ａ  採光部  
６ｂ、６ｃ  端子                ７  留め具
７ａ  輪型部材                  ７ｂ  係止片
８  金属チェーン                ９  筒体
１０  蓋体                      １１  非通電部材
１２  太陽電池                  １２ａ  負電極(−電極)
１２ｂ  正電極（＋電極）        １３  導電線
１４  導電線                    １５  貫通孔
１６  透明または半透明な宝石
１８  環状体
【図１】
0003186773.tif 000003
【図２】
0003186773.tif 000004
【図３】
0003186773.tif 000005
【図４】
0003186773.tif 000006
【図５】
0003186773.tif 000007
【図６】
0003186773.tif 000008